(57)【要約】【課題】眼科検査装置において、複雑な構成を必要とせず、確実に被検眼の視線を誘導できるとともに、固視灯の位置を正確に記録できるようにする。【解決手段】被検眼眼底の観察または撮影に用いられる光学系中に設けられ、被検眼１の視線を誘導する内部固視灯４３をほぼ同等の点灯位置で点灯する可視光発光素子４３ａおよび赤外光発光素子４３ｂから構成し、光学系と被検眼のアライメント時、可視光発光素子４３ａにより光学系を介して被検眼１の視線を誘導するとともに、赤外光発光素子４３ｂから光学系を介して被検眼１の眼底１ａに投影される赤外光の輝点を光学系を介して観察または撮影する。【選択図】図３
2008029547.tif 000002
【特許請求の範囲】
【請求項１】
被検眼眼底の観察または撮影に用いられる光学系と、前記光学系を介して被検眼に視認させ該被検眼の視線を誘導する内部固視灯を有する眼科検査装置において、
前記内部固視灯をほぼ同等の点灯位置で点灯する可視光発光素子および赤外光発光素子から構成し、
前記光学系と被検眼のアライメント時、前記可視光発光素子により前記光学系を介して被検眼の視線を誘導するとともに、前記赤外光発光素子から前記光学系を介して被検眼の眼底に投影される赤外光の輝点を前記光学系を介して観察または撮影することを特徴とする眼科検査装置。
【請求項２】
前記内部固視灯が前記可視光発光素子および前記赤外光発光素子を一体化した発光素子から構成されることを特徴とする請求項１に記載の眼科検査装置。
【請求項３】
前記内部固視灯の点灯位置を検者が制御するための操作手段を有することを特徴とする請求項１に記載の眼科検査装置。
【請求項４】
前記内部固視灯の前記可視光発光素子および前記赤外光発光素子をそれぞれ独立して制御する制御手段を有することを特徴とする請求項１に記載の眼科検査装置。
【請求項５】
前記制御手段を介して、検者が検査状況に応じて前記可視光発光素子の発光輝度、点灯、消灯、または点滅状態を調節するための操作手段を有することを特徴とする請求項４に記載の眼科検査装置。
【請求項６】
前記制御手段を介して、被検眼眼底の観察または撮影の状況に応じて前記赤外光発光素子の発光輝度、点灯、消灯、または点滅状態を制御することを特徴とする請求項４に記載の眼科検査装置。
【請求項７】
前記光学系を介して無散瞳方式の眼底撮影を行なうことを特徴とする請求項１に記載の眼科検査装置。
【請求項８】
前記光学系を介して可視光による眼底撮影を行なう第１の撮像装置と、赤外光による眼底撮影を行なう第２の撮像装置が設けられ、検者のシャッタ操作に応じてまず前記第２の撮像装置により前記内部固視灯の赤外光発光素子から眼底に投影された輝点を含む眼底画像を撮影し、その後、前記第１の撮像装置により眼底画像を撮影することを特徴とする請求項１に記載の眼科検査装置。
【請求項９】
前記第１の撮像装置の撮影画角よりも前記第２の撮像装置の撮影画角が広角であることを特徴とする請求項８に記載の眼科検査装置。
【発明の詳細な説明】
【技術分野】
【０００１】
本発明は、被検眼眼底の観察または撮影に用いられる光学系と、前記光学系を介して被検眼に視認させ該被検眼の視線を誘導する内部固視灯を有する眼科検査装置に関するものである。
【背景技術】
【０００２】
従来から、被検眼の所定部位を観察あるいは撮影する眼底カメラや視野計など種々の眼科検査装置が知られており、この種の装置では被検眼の視線を検査に適した固視位置に導く、あるいは再検査を行なう場合に同一の固視位置を再現する、などの目的で固視灯を設ける構成が知られている。
【０００３】
この固視灯の提示位置（点灯位置）は検者の判断に応じて所望の位置に移動できる必要がある。そこで、任意に固視灯の位置を移動させるために、複数の輝点を用意し点灯させる輝点を選択することにより固視灯を任意に移動させたのと同じ効果を得るようにした構成が知られている。このような構成では、固視灯の提示位置を点灯させている輝点の座標として把握することができ、たとえばこれに応じてモニタ上の同一座標に表示マーカなどを表示させることで、検者にモニタを介して固視灯提示位置を認識させることができる。
【０００４】
しかしながら、このように予め位置を固定した輝点を複数用意し、点灯させる輝点を選択して固視灯位置を決定する構成では、所望の点灯位置を得るべく充分な微調整を行なえるようにするためには、非常に多数の輝点を用意しなくてはならない。たとえば、眼底カメラの固視移動を有効径内で円滑に行うには約１００点ほどの輝点が必要であり、固視灯関係の構成が複雑になる問題がある。
【０００５】
一方、可動式の固視灯を設ける構成も知られており、たとえば固視灯の位置を制御する信号から検出した固視灯位置に応じてキャラクタを発生させて画像合成するという構成が提案されている（下記の特許文献１）。また、任意の位置に動かせる固視灯の光を、眼底に照射する光と位置記録する光に分光して、固視灯位置を記録する光を観察モニタに導くようにした構成も知られている（下記の特許文献２）。
【特許文献１】特開２００２−５７１号公報
【特許文献２】特開２００２−６５６１０号公報
【発明の開示】
【発明が解決しようとする課題】
【０００６】
上記の従来技術のうち、特許文献１の構成では、固視灯の位置を制御し、かつ画像合成を行なわなければならず、システムの構造が複雑になる問題がある。また、特許文献２の構成では、分光、反射の別光路を作らなければならないので光学系が複雑になる問題がある。また、特許文献１および２のいずれにおいても、眼底に投影された輝点の位置を直接観察ないし記録するものではないので、固視灯位置の記録／再現精度や信頼性に疑問が残る。
【０００７】
そこで、眼底に投影された輝点を直接、観察あるいは撮影することができれば、複雑な構成を必要とせず、固視位置を確実に検者が認識でき、また眼底画像とともに確実に記録できると考えられる。しかしながら、このような構成を実現するには次のような問題がある。
【０００８】
特に、無散瞳方式の眼底カメラにおける内部固視灯は、被検眼の固視位置誘導の目的で可視光で輝点を提示しているが、縮瞳を防ぐために微弱な光量で点灯させなければならず、また、撮影直前の眼底観察は赤外波長で行なわれるため、眼底に投影された可視光の輝点の眼底反射像を捕らえることは非常に困難である。
【０００９】
本発明の課題は、上記の問題を解決し、眼科検査装置において、複雑な構成を必要とせず、確実に被検眼の視線を誘導できるとともに、固視灯の位置を正確に記録できるようにすることにある。
【課題を解決するための手段】
【００１０】
上記課題を解決するため、本発明においては、被検眼眼底の観察または撮影に用いられる光学系と、前記光学系を介して被検眼に視認させ該被検眼の視線を誘導する内部固視灯を有する眼科検査装置において、前記内部固視灯をほぼ同等の点灯位置で点灯する可視光発光素子および赤外光発光素子から構成し、前記光学系と被検眼のアライメント時、前記可視光発光素子により前記光学系を介して被検眼の視線を誘導するとともに、前記赤外光発光素子から前記光学系を介して被検眼の眼底に投影される赤外光の輝点を前記光学系を介して観察または撮影する構成を採用した。
【００１１】
特に、前記内部固視灯は、前記可視光発光素子および前記赤外光発光素子を一体化した発光素子から構成することができる。
【００１２】
また、前記内部固視灯の点灯位置は検者が操作手段を介して制御することができる。
【００１３】
また、前記内部固視灯の前記可視光発光素子および前記赤外光発光素子をそれぞれ独立して制御する制御手段を設けることができる。
【００１４】
さらに、前記制御手段を介して、検者が検査状況に応じて前記可視光発光素子の発光輝度、点灯、消灯、または点滅状態を調節するための操作手段を設けることができる。
【００１５】
また、前記制御手段を介して、被検眼眼底の観察または撮影の状況に応じて前記赤外光発光素子の発光輝度、点灯、消灯、または点滅状態を制御することができる。
【００１６】
また、前記光学系を介して無散瞳方式の眼底撮影を行なうことができる。
【００１７】
あるいはさらに、前記光学系を介して可視光による眼底撮影を行なう第１の撮像装置と、赤外光による眼底撮影を行なう第２の撮像装置が設けられ、検者のシャッタ操作に応じてまず前記第２の撮像装置により前記内部固視灯の赤外光発光素子から眼底に投影された輝点を含む眼底画像を撮影し、その後、前記第１の撮像装置により眼底画像を撮影する構成を用いることができる。
【００１８】
また、前記第１の撮像装置の撮影画角よりも前記第２の撮像装置の撮影画角が広角である構成を用いることができる。
【発明の効果】
【００１９】
上記構成によれば、多数の輝点を提示するための発光素子を配置したり、固視灯位置記録用の複雑な光路を設ける必要がなく、簡単安価な構成により内部固視灯の位置を観察または記録することができる。
【００２０】
また、内部固視灯は可視光発光素子および赤外光発光素子を一体化した発光素子から簡単安価に構成することができる。内部固視灯は可動式とすることができ、簡単安価な構成により検者が操作できるよう構成することができる。
【００２１】
また、内部固視灯の可視光発光素子および赤外光発光素子の点灯、消灯、または点滅状態は、検者が検査状況に応じて、あるいは自動的に独立して制御することができる。
【００２２】
また、検者のシャッタ操作に応じてまず前記第２の撮像装置により前記内部固視灯の赤外光発光素子から眼底に投影された輝点を含む眼底画像を撮影し、その後、前記第１の撮像装置により眼底画像を撮影する構成においては、第１の撮像装置により行なう眼底撮影の際の視線誘導方向を、前記内部固視灯の赤外光発光素子から眼底に投影された輝点として第２の撮像装置により撮影された眼底画像中に明確に記録することができる。
【００２３】
また、前記第１の撮像装置の撮影画角よりも前記第２の撮像装置の撮影画角が広角である構成とすることにより、第１の撮像装置の眼底撮影の倍率に影響されずに、見切れることなく眼底撮影の際の視線誘導方向を、前記内部固視灯の赤外光発光素子から眼底に投影された輝点として記録することができる。
【発明を実施するための最良の形態】
【００２４】
以下、発明を実施するための最良の形態の一例として眼底を照明する照明光学系と照明された眼底を結像する結像光学系などの主たる光学系を有し、無散瞳方式の眼底カメラとして用いることができる眼科検査装置の実施例を示す。
【実施例１】
【００２５】
図１は本発明を採用した眼科検査装置として、赤外光でアライメントおよび眼底観察を行ない、その後、可視光で眼底のカラー画像を撮影する無散瞳方式の眼底カメラの要部構成を示している。
【００２６】
図１の眼科検査装置において、装置本体１０には、眼底を照明する照明光学系と、照明された眼底を結像する結像光学系が設けられている。照明光学系では、ハロゲンランプなどの光源１１から発せられた光並びに凹面鏡１２で反射した光は、可視カット赤外透過フィルタ１３を介して赤外光となり、ストロボ１４を通過して拡散板１５に入射して拡散され、被検眼１の前眼部（瞳）１ｂと共役な位置に配置されたリングスリット１６を照明する。このリングスリット１６からの照明光は、レンズ１７、対物レンズ２２の反射を除去するための黒点板１８、ハーフミラー１９、リレーレンズ２０を通過し、中心に穴の開いた穴あき全反射ミラー２１で反射されてから対物レンズ２２を経て、被検眼１の前眼部１ｂより眼底１ａに入射し、眼底１ａを赤外光で照明する。
【００２７】
眼底１ａからの反射光は、対物レンズ２２を介して受光され、穴あき全反射ミラー２１の穴を通過して撮影絞り３１、フォーカスレンズ３２、結像レンズ３３を通過して、ハーフミラー３４で反射され、眼底１ａと共役な位置に配置された視野絞り３５を介して赤外透過可視反射ミラー３６に入射する。赤外透過可視反射ミラー３６を透過した赤外光は、ミラー３８で反射され、結像レンズ３７を通過して赤外光に感度を有する赤外ＣＣＤなどで構成される撮像装置４０に入射される。
【００２８】
撮像装置４０の出力する赤外光画像は、モニタ４１に表示されるが、この画像はスイッチ６１を介してメモリ６２に取り込むことができるようにしてある。メモリ６２に記録される赤外光画像は、本実施例では後述のように内部固視灯４３の点灯位置、すなわち内部固視灯４３による視線誘導方向を記録するために用いられる。
【００２９】
さらに、本体１０には、ＰＣ（パーソナルコンピュータ）６４を接続するためのＵＳＢなどによるインターフェース６３が設けられている。ＰＣ６４は、モニタ６６、ＨＤＤ６５、不図示のキーボードその他の部材を有する。なお、以下に示す主制御部１０１は、ＰＣ６４のＣＰＵなどを用いて構成されていてもよい。
【００３０】
ＰＣ６４は、インターフェース６３を介して上記の撮像装置４０の（赤外光）撮影画像を記録するメモリ６２、および後述の撮像装置５３の（可視光）撮影画像を記録するメモリ５４にアクセスすることができ、これらの撮影画像を関連づけてＨＤＤ６５上に構築されたデータベースなどに記録することができるようになっている。
【００３１】
また、ミラー３６で反射された可視光は、少なくとも２種類の変倍レンズ４７ａ、４７ｂのいずれかを介して、取り付けユニット５０に入射し、そこに内蔵された可視光に感度を有する可視ＣＣＤなどで構成される撮像装置５３で受光される。取り付けユニット５０は、本体１０において瞳共役位置近傍に固定されたマウント５１に着脱可能に取り付けられ、装着されたときコネクタ５２を介してシャッタ４６からのシャッタ操作信号を取り込み、この操作信号を、撮像装置５３並びに撮像装置で撮像された画像を記憶するメモリ５４に供給する。撮像装置５３並びにメモリ５４には、コネクタ５２を介して本体１０側から給電が行われる。
【００３２】
このような結像光学系において、被検眼１の眼底１ａと共役な位置がＲで、また前眼部（特に瞳）と共役な位置がＰで図示されており、視野絞り３５は、対物レンズ２２、結像レンズ３３などで構成される光学系（第１の光学系）に対して眼底共役位置に配置されるので、この光学系による眼底像は視野絞り３５近傍に結像され、また、撮像装置４０の撮像面は、結像レンズ３７に関して視野絞り３５と共役な位置に、また撮像装置５３の撮像面は、変倍レンズ４７ａ、４７ｂ（第２の光学系）に関して視野絞り３５と共役な位置に配置されるので、視野絞り３５の眼底像は、結像レンズ３７、並びに変倍レンズ４７ａ、４７ｂで再結像され、撮像装置４０、５３は、結像された眼底像を撮影することができる。
【００３３】
このような構成において、可視カット赤外透過フィルタ１３が照明光路に配置されているので、眼底が赤外光で照明され、眼底像が対物レンズ２２、フォーカスレンズ３２、結像レンズ３３により視野絞り３５の位置に結像される。視野絞り３５の眼底像は、赤外透過可視反射ミラー３６を透過して結像レンズ３７により撮像装置４０の撮像面に再結像されるので、眼底像がモニタ４１に白黒画像として表示され、検者はモニタ４１を介して眼底像を観察できる。
【００３４】
なお、照明光学系には、フォーカスドット光源３０が設けられ、この光源３０からの光束がハーフミラー１９を介して眼底１ａに入射され、フォーカスレンズ３２の移動に応じてフォーカスドット位置が変化するので、検者はフォーカスドットを観察することにより被検眼にピントを合わせることができる。また、アライメントの初期段階では、前眼部レンズ４２が挿入されるので、検者は被検眼１の前眼部１ｂの画像をモニタ４１で確認することができる。
【００３５】
さらに、本実施例では、ハーフミラー３４の後方の眼底共役位置Ｒよりもわずかに後方の位置に内部固視灯４３が設けられている。アライメントや合焦操作の時、内部固視灯４３を点灯し、検査の際、被検者に内部固視灯４３を注視させることにより、被検眼の視線を検査に適した位置に誘導し、アライメントや合焦操作を確実にすることができる。
【００３６】
本実施例では、内部固視灯４３を可視光を投光する可視波長ＬＥＤ（以下可視ＬＥＤという）４３ａと赤外光を投光する赤外波長ＬＥＤ（以下赤外ＬＥＤという）４３ｂを有する２波長ＬＥＤ光源により構成する。たとえば、内部固視灯４３は図２に示すように、内部に可視ＬＥＤ４３ａおよび赤外ＬＥＤ４３ｂを封入したＬＥＤ素子として構成することができる。
【００３７】
このようなＬＥＤ素子を用いた内部固視灯４３の点灯制御は、ＬＥＤ制御回路１０２を介して主制御部１０１により行なわれる。主制御部１０１は、ＣＰＵおよびメモリなどの制御素子から構成され、不図示のキー入力部および表示装置などから構成された操作部１０３からの検者の操作入力に応じて装置全体の動作を制御する。なお、主制御部１０１および操作部１０３はパーソナルコンピュータなどのハードウェアを用いて構成することもできる。
【００３８】
また、内部固視灯４３の点灯位置は、所望の方向に被検眼の視線を誘導するために検者が調節できるようにする。このためには、たとえば図３に示すように内部固視灯４３（図２のように２波長ＬＥＤ素子で構成されたもの）を支持腕４３ｄの先端に装着し、支持腕４３ｄの中間部をボールジョイント様の可動支点４３ｃで支持し、支持腕４３ｄの後端を操作レバー４３ｅとして、検者が操作できるように機外に露出させておく。
【００３９】
あるいは、操作レバー４３ｅは、不図示のモータやソレノイドのような駆動手段で電動制御できるようにしておいてもよい。この場合には、検者がスイッチやジョイスティック、マウスなどにより内部固視灯４３の位置を制御できるようにする（図４参照）。この場合には、主制御部１０１が所定のプログラムに応じて内部固視灯４３の位置を自動制御することもできる。
【００４０】
なお、図３の内部固視灯４３廻り以外の構成は図１と同じである。
【００４１】
ＬＥＤ制御回路１０２周辺の制御回路の構成を図４に示す。図４に示すように、ＬＥＤ制御回路１０２は、内部固視灯４３の可視ＬＥＤ４３ａおよび赤外ＬＥＤ４３ｂをそれぞれ独立して制御できるよう可視ＬＥＤ制御回路１０２ａ、および赤外ＬＥＤ制御回路１０２ｂから構成する。
【００４２】
可視ＬＥＤ制御回路１０２ａおよび赤外ＬＥＤ制御回路１０２ｂは、可視ＬＥＤ４３ａおよび赤外ＬＥＤ４３ｂの駆動を主制御部１０１のプログラム実行に応じて、あるいはさらに符号１０３ａ、１０３ｂに示すようなユーザ操作入力に応じて制御するものとする。
【００４３】
たとえば、可視ＬＥＤ４３ａは、被検者の視認性、すなわち視線誘導の確実性を考慮して、その点灯光量、点滅の有無、あるいはその点滅頻度を検者がユーザ操作により設定できるよう可視ＬＥＤ制御回路１０２ａを構成する（１０３ａ、１０３ｂ）。
【００４４】
一方、赤外ＬＥＤ４３ｂは、本実施例では眼底１ａに投影された赤外光の輝点の眼底反射像を撮像装置４０〜モニタ４１を介して観察、あるいは撮影（記録）できるようにする（赤外ＬＥＤ４３ｂは被検者に視認させる目的のものではないから必ずしも点滅させる必要はない）。
【００４５】
このために、符号１０３ｃ、１０３ｄで示すように、照明ランプ（１１）の光量、およびモニタ４１の輝度（あるいはコントラスト）などを調節するユーザ操作情報に応じて、赤外ＬＥＤ４３ｂの点灯光量を設定できるよう赤外ＬＥＤ制御回路１０２ｂを構成する。さらに、赤外ＬＥＤ制御回路１０２ｂは撮像装置（ＣＣＤ）４０の感度に関する情報（現在の感度設定情報、あるいは出荷時に校正値としてＲＯＭなどに格納したデバイス固有の感度情報など）を参照して、赤外ＬＥＤ４３ｂの点灯光量を設定できるようにしておく。
【００４６】
このような構成により、充分なＳ／Ｎ比をもって眼底１ａに投影された赤外光の輝点の眼底反射像をモニタ４１を介して観察、あるいはさらに撮影（記録）することができる。
【００４７】
次に上記構成における動作につき、図５のフローチャートを参照して説明する。図５は、上記構成において実施される眼科撮影処理の流れを示している。図示の手順は、主制御部１０１、あるいは（主制御部１０１を兼ねる）ＰＣ６４のＣＰＵにより制御されるもので、これらの制御手段が実行するプログラムとして不図示の適当なプログラム記憶手段（たとえばＨＤＤ６５あるいは不図示のＲＯＭなど）に格納しておく。
【００４８】
上記構成において、無散瞳眼底撮影を行なうに際して、まず被検眼１と装置のアライメントを行なう。この時、ランプ１１を点灯させるとともに内部固視灯４３の可視ＬＥＤ４３ａおよび赤外ＬＥＤ４３ｂを点灯させ（図５ステップＳ１）、内部固視灯４３の点灯位置をたとえば図３に例示した機構を介して調節し、被検眼の視線を所望の方向に誘導する。この際、可視ＬＥＤ４３ａの点灯光量（あるいはさらに点滅条件）、および赤外ＬＥＤ４３ｂの点灯光量は、ユーザ操作ないし装置の各部の状態に応じて制御される。
【００４９】
特に、赤外ＬＥＤ４３ｂの点灯光量は、眼底１ａに投影された赤外光の輝点の眼底反射像を撮像装置４０を介して充分なＳ／Ｎ比をもってモニタ４１に表示できるように自動的に調節される。もちろん、このとき可視ＬＥＤ４３ａの光量は無散瞳撮影の条件を損なわないよう、縮瞳が起きない程度の光量に制御する。
【００５０】
内部固視灯４０による視線誘導を行ないつつ、アライメントを実施し、アライメントが完了（ステップＳ２）すると、シャッタスイッチ４６が操作され（ステップＳ３）、このシャッタ操作信号で撮影処理が開始される。
【００５１】
まず、被検眼１の視線誘導方向（固視灯位置）を記録すべく、切換スイッチ６１が図１の下側に切り換えられ（ステップＳ４）、撮像装置４０による赤外観察像をメモリ６２に保存する（ステップＳ５）。このとき、もちろん、内部固視灯４３の赤外ＬＥＤ４３ｂは眼底１ａに投影された赤外光輝点の眼底反射像を同時に撮影できるよう引き続き点灯させておく。
【００５２】
このとき撮像装置４０で撮影される赤外観察像の眼底画像は、結像レンズ３７の作用により、選択状態にある変倍レンズ４７ａまたは４７ｂを介して撮像装置５３により撮影される可視光眼底画像よりも広範囲の眼底画像になっている。しかも、前述のように赤外ＬＥＤ４３ｂが点灯しているので、この赤外観察像の眼底画像には眼底に投影されている赤外ＬＥＤ４３ｂの輝点が重なって撮影される。
【００５３】
したがって、この撮像装置４０の赤外観察像を記録すれば、シャッタスイッチを４６を押した時の固視灯位置（視線誘導方向）が記録できることになる。このとき、上記のように撮影目的に応じて選択されている変倍レンズ４７ａまたは４７ｂには無関係の倍率で結像レンズ３７を介した広角の赤外眼底画像上に確実に見切れることなく固視灯位置（視線誘導方向）を記録することができる。
【００５４】
赤外観察像の記録が終了すると、取り付けユニット５０の撮像装置５３とメモリ５４が起動され、眼底のカラー（可視光像による）静止画の取り込み動作が開始される（ステップＳ８）。
【００５５】
この可視光撮影に先立ち、可視ＬＥＤ４３ａは上記カラー静止画の取り込み動作に応じて消灯または減光させる（ステップＳ６）。
【００５６】
また、撮像装置５３による可視光撮影（ステップＳ８）に際しては、カラー静止画の取り込み動作に同期して撮像装置５３からストロボ１４に発光を指示する信号（光量制御信号）を発生させ、これによりストロボ１４を発光させる（ステップＳ７）。
【００５７】
ストロボ１４の発光により照明された眼底像は、視野絞り３５の位置に一旦結像されたあと、レンズ４７ａまたは４７ｂにより撮像装置５３の撮像面に再結像され、撮像装置５３はこの眼底１ａの可視光画像を静止画として撮像する（ステップＳ８）。
【００５８】
撮像装置５３で撮像された静止画は、取り付けユニット５０内のメモリ５４に保存される。メモリ５４に保存された静止画はＰＣ６４（のＨＤＤ６５）に取り込んだり、モニタ６６に表示したり、あるいはプリンタ（不図示）に出力することができる。あるいはメモリ５４や６２そのものをメモリカートリッジなどから構成し、取り付けユニット５０や本体１０から取り外せるように構成し、それを他の機器に挿入したとき、該機器でメモリの内容を読み出すようにしてもよい。
【００５９】
上記のようにして撮影された眼底１ａの赤外観察像とカラー静止画は、ＰＣ６４で関連付けしてＨＤＤ６５などの記憶メディアに保存することができる。
【００６０】
以上の構成によれば、アライメント中は、検者はモニタ４１を介して内部固視灯４３の赤外ＬＥＤ４３ｂから眼底１ａに投影された赤外光の輝点の眼底反射像を明瞭に視認することができるとともに、シャッタ操作直後のこの赤外光の輝点の眼底反射像を撮像装置４０により撮影し、メモリ６２に記録することができる。
【００６１】
すなわち、上記構成によれば、赤外光撮影した眼底画像中に内部固視灯４３の輝点投影位置を明瞭に記録することができるから、検者は眼底撮影時の赤外眼底画像を見れば一目でこの眼底撮影時の視線誘導方向が判り、たとえば次回撮影のアライメント時に観察画像中の眼底、および内部固視灯４３の輝点の位置の関係が同一になるように視線誘導、およびアライメント操作を行なえば、前回と同じ条件で眼底撮影を行なうことができる。
【００６２】
本実施例では、アライメント期間において、内部固視灯４３の可視ＬＥＤ４３ａと赤外ＬＥＤ４３ｂの駆動条件は相互に独立して制御することができる。たとえば可視ＬＥＤ４３ａは被検眼の縮瞳が起きない範囲でかつ被検者の視認性が良好となる条件で点灯ないし点滅させることができる。
【００６３】
一方、赤外ＬＥＤ４３ｂは、モニタ４１を介して充分な視認性が得られるような条件で点灯させることができる。赤外ＬＥＤ４３ｂの発光スペクトラムを可視範囲外に設定しておけば、被検眼に影響を与えることなく、眼底１ａの赤外輝点をモニタ４１を介してはっきりと観察できるような条件で点灯させることができる。
【００６４】
また、撮影時には、撮像装置４０により、赤外ＬＥＤ４３ｂから眼底に投影された赤外光の輝点の眼底反射像を記録できるから、可視ＬＥＤ４３ａおよび赤外ＬＥＤ４３ｂにより内部固視灯４３を構成する、という極めて簡単安価な構成においても眼底画像の撮影の際に用いた被検眼の視線誘導方向を明確に記録でき、この撮影画像を用いれば再検査を行なうときに同一の方向に被検眼の視線を誘導して同一条件で観察および撮影を実施することができる。
【００６５】
また、撮像装置４０により赤外ＬＥＤ４３ｂから眼底に投影された赤外光の輝点の眼底反射像を観察ないし記録する場合、撮像装置５３側の可視光像とは独立して結像レンズ３７により広角の撮影画像として記録できるから、可視撮影の倍率に左右されず、見切れることなく、内部固視灯４３による視線誘導方向を確実に観察ないし記録することができる。
【００６６】
また、本実施例では、一体化した可視ＬＥＤ４３ａおよび赤外ＬＥＤ４３ｂにより内部固視灯４３を構成する、という極めて簡単安価な構成により、実際の被検眼の視線誘導方向と、観察あるいは記録される視線誘導方向に関する情報を同期させることができる。検者が内部固視灯４３の点灯位置（提示位置）を制御するための機構もたとえば図３に示したような簡単な機構で実現できる。
【００６７】
すなわち、内部固視灯４３を移動させても、常に可視ＬＥＤ４３ａおよび赤外ＬＥＤ４３ｂは一体として移動するため、実際の被検眼の視線誘導方向と、観察あるいは記録される視線誘導方向に関する情報の間には、可視ＬＥＤ４３ａおよび赤外ＬＥＤ４３ｂの実装位置に起因する誤差以上に大きな誤差が生じることがなく、検者は被検眼の視線誘導方向を確実に視認でき、また、被検眼の視線誘導方向に関する情報を撮影画像上に直接記録することができる。
【産業上の利用可能性】
【００６８】
本発明は、無散瞳方式で眼底を検査（観察、撮影）する種々の眼科検査装置において実施することができる。
【図面の簡単な説明】
【００６９】
【図１】本発明を採用した眼科検査装置の構成を示した説明図である。
【図２】図１の装置における内部固視灯の構成を示した説明図である。
【図３】図１の装置における内部固視灯点灯位置制御に必要な構成の一例を示した説明図である。
【図４】図１の装置の制御系要部の構成を示した説明図である。
【図５】図１の装置における眼科撮影手順を示したフローチャート図である。
【符号の説明】
【００７０】
１０  装置本体
１７  レンズ
１９  ハーフミラー
２１  穴あき全反射ミラー
２２  対物レンズ
３１  撮影絞り
３２  フォーカスレンズ
３５  視野絞り
３７  結像レンズ
４０、５３  撮像装置
４１  モニタ
４３  内部固視灯
４３ａ  可視波長ＬＥＤ
４３ｂ  赤外波長ＬＥＤ
６４  ＰＣ
６５  ＨＤＤ
６６  モニタ
１０１  主制御部
１０２  ＬＥＤ制御回路
１０２ａ  可視ＬＥＤ制御回路
１０２ｂ  赤外ＬＥＤ制御回路
【図１】
2008029547.tif 000003
【図２】
2008029547.tif 000004
【図３】
2008029547.tif 000005
【図４】
2008029547.tif 000006
【図５】
2008029547.tif 000007